(57)【特許請求の範囲】
【請求項１】
第１の通信装置と、第２の通信装置と、が通信接続される通信システムであって、
前記第１の通信装置は、
第１通信制御用データを含む第１通信データを取得する第１通信データ取得手段と、
前記第１通信データにより構成される第１通信データ本体部分と、前記第１通信データのうち、前記第１通信制御用データを含んで構成される第１通信データ重複部分と、を含む第１送信データを生成する第１送信データ生成手段と、
前記第１送信データを送信する送信手段と、
を含み、
前記第２の通信装置は、
前記第１の通信装置が送信した第１送信データを受信する受信手段と、
前記受信手段により受信された第１送信データから、前記第１通信データ本体部分及び前記第１通信データ重複部分を取得する第１通信データ部分取得手段と、
前記第１通信データ本体部分に含まれる前記第１通信制御用データと、前記第１通信データ重複部分に含まれる前記第１通信制御用データと、を相互に比較することにより、前記第１通信制御用データの誤りを検出する第１通信制御用データ誤り検出手段と、
を含み、
前記第１の通信装置は、
前記第１通信制御用データと所定の関係を有する第２通信制御用データを含む第２通信データを取得する第２通信データ取得手段と、
前記第２通信データを含む第２送信データを生成する第２送信データ生成手段と、
をさらに含み、
前記送信手段は、前記第２送信データを送信し、
前記受信手段は、前記第１の通信装置が送信した前記第２送信データを受信し、
前記第２の通信装置は、
前記第１通信制御用データ誤り検出手段の誤り検出結果に応じて、前記受信手段により受信された前記第１送信データに含まれる前記第１通信制御用データと前記所定の関係とに基づき、前記第２通信制御用データを取得する第２通信制御用データ取得手段と、
前記第２通信制御用データ取得手段により取得される前記第２通信制御用データと、前記受信手段により受信された第２送信データに含まれる前記第２通信制御用データと、を相互に比較することにより、前記第２通信制御用データの誤りを検出する第２通信制御用データ誤り検出手段と、
を含む、
ことを特徴とする通信システム。
【請求項２】
請求項１に記載の通信システムにおいて、
前記第２通信制御用データ取得手段は、前記第１通信制御用データ誤り検出手段の誤り検出結果により誤りがないことが示される場合に、前記受信手段により受信された前記第１送信データに含まれる前記第１通信制御用データと前記所定の関係とに基づき、前記第２通信制御用データを取得する、
ことを特徴とする通信システム。
【請求項３】
第１の通信装置と、第２の通信装置と、が通信接続される通信システムであって、
前記第１の通信装置は、
第１データと、該第１データと所定の関係を有する第２データと、を取得する取得手段と、
前記第１データを複数回送信する送信手段と、
を含み、
前記第２の通信装置は、
前記第１の通信装置が複数回にわたり送信した前記第１データをそれぞれ受信する受信手段と、
前記受信手段により受信された複数の前記第１データを相互に比較することにより、第１データの誤りを検出する誤り検出手段と、
を含み、
前記送信手段は、前記第２データを送信し、
前記受信手段は、前記第１の通信装置が送信した前記第２データを受信し、
前記第２の通信装置は、
前記誤り検出手段の検出結果に応じて、前記受信手段により受信された第１データ及び前記所定の関係に基づいて前記第２データを取得する第２データ取得手段、
をさらに含み、
前記誤り検出手段は、前記受信手段により受信された前記第２データと、前記第２データ取得手段により取得された前記第２データと、を相互に比較することにより、第２データの誤りを検出する、
ことを特徴とする通信システム。
【請求項４】
相手装置から、第１通信制御用データを含む第１送信データを受信する受信手段と、
前記受信手段により受信された前記第１送信データから、前記第１通信制御用データを取得する第１通信制御用データ取得手段と、
前記取得において、前記第１送信データに前記第１通信制御用データが重複して含まれている場合には、当該重複して含まれる前記第１通信制御用データを相互に比較することにより、当該第１通信制御用データの誤りを検出するようにする第１通信制御用データ誤り検出手段と、
前記第１通信制御用データ誤り検出手段の誤り検出結果に応じて、前記受信手段により受信された前記第１送信データに含まれる前記第１通信制御用データに基づき、第２通信制御用データを取得するようにする第２通信制御用データ取得手段と、
前記第２通信制御用データ取得手段により取得される前記第２通信制御用データと、前記相手装置から受信される第２送信データに含まれる第２通信制御用データと、を相互に比較することにより、当該第２通信制御用データの誤りを検出するようにする第２通信制御用データ誤り検出手段と、
を含むことを特徴とする通信装置。
【請求項５】
相手装置から、通信制御用データを含む送信データを受信する通信装置におけるデータ処理方法において、
相手装置から、第１通信制御用データを含む第１送信データを受信する受信ステップと、
前記受信された前記第１送信データから、前記第１通信制御用データを取得する第１通信制御用データ取得ステップと、
前記取得において、前記第１送信データに前記第１通信制御用データが重複して含まれている場合には、当該重複して含まれる前記第１通信制御用データを相互に比較することにより、当該第１通信制御用データの誤りを検出するようにする第１通信制御用データ誤り検出ステップと、
前記第１通信制御用データ誤り検出ステップにおける誤り検出結果に応じて、前記受信された前記第１送信データに含まれる前記第１通信制御用データに基づき、第２通信制御用データを取得するようにする第２通信制御用データ取得ステップと、
前記第２通信制御用データ取得ステップで取得される前記第２通信制御用データと、前記相手装置から受信される第２送信データに含まれる第２通信制御用データと、を相互に比較することにより、当該第２通信制御用データの誤りを検出するようにする第２通信制御用データ誤り検出ステップと、
を含むことを特徴とするデータ処理方法。
【請求項６】
前記第１通信制御用データ取得ステップにおける誤り検出の結果、誤りが検出されない場合には、相手装置に対し、送信データに通信制御データを重複して含めないよう、要求する、
ことを特徴とする請求項５に記載のデータ処理方法。
【発明の詳細な説明】
【技術分野】
【０００１】
本発明は通信システムに関し、特にリピート処理による誤り検出技術に関する。
【背景技術】
【０００２】
通信システムには、リピート処理と呼ばれる誤り検出処理を行うものがある。具体的な例では、移動体通信システムの基地局装置がブロードキャストするデータ（例えば、特許文献１）に示されるデータにおいて、このリピート処理が行われる。以下では、まずこのリピート処理について説明する。
【０００３】
通信システムでは、所定データ量ごとにデータ送信を行い、各データ送信単位（パケットやタイムスロットなど）にはそれぞれ通信制御データが含まれるのが一般的である。リピート処理では、送信側通信装置において、各データ送信単位に通信制御データを複数回含める（リピートする）ようにする。
【０００４】
受信側通信装置は、受信されたデータ送信単位から、複数個の通信制御データを取り出して相互に比較する。そして、異なっている部分があれば、その部分を誤り部分として検出する。このようにして、リピート処理による誤り検出が行われる。
【特許文献１】特表２００４−５１１１４３号公報
【発明の開示】
【発明が解決しようとする課題】
【０００５】
しかしながら、リピート処理を行うと、データ送信単位に含めることのできるデータ量が少なくなってしまうという問題がある。このため、リピート処理による通信制御用データの誤り検出を実施しつつ、データ送信単位に含めることのできるデータ量を増加させるようにすることが望まれている。
【０００６】
従って、本発明の課題の一つは、リピート処理による通信制御用データの誤り検出を実施しつつ、データ送信単位に含めることのできるデータ量を増加させることのできる通信システムを提供することにある。
【０００７】
また、本発明の他の課題の一つは、通信制御用データのようなデータ送信単位ごとに所定の関係を有するデータを送信する際に、リピート処理を行わずとも、リピート処理による誤り検出を行うことを可能にする通信システムを提供することにある。
【課題を解決するための手段】
【０００８】
上記課題を解決するための本発明にかかる通信システムは、第１の通信装置と、第２の通信装置と、が通信接続される通信システムであって、前記第１の通信装置は、第１通信制御用データを含む第１通信データを取得する第１通信データ取得手段と、前記第１通信データにより構成される第１通信データ本体部分と、前記第１通信データのうち、前記第１通信制御用データを含んで構成される第１通信データ重複部分と、を含む第１送信データを生成する第１送信データ生成手段と、前記第１送信データを送信する送信手段と、を含み、前記第２の通信装置は、前記第１の通信装置が送信した第１送信データを受信する受信手段と、前記受信手段により受信された第１送信データから、前記第１通信データ本体部分及び前記第１通信データ重複部分を取得する第１通信データ部分取得手段と、前記第１通信データ本体部分に含まれる前記第１通信制御用データと、前記第１通信データ重複部分に含まれる前記第１通信制御用データと、を相互に比較することにより、前記第１通信制御用データの誤りを検出する第１通信制御用データ誤り検出手段と、を含み、前記第１の通信装置は、前記第１通信制御用データと所定の関係を有する第２通信制御用データを含む第２通信データを取得する第２通信データ取得手段と、前記第２通信データを含む第２送信データを生成する第２送信データ生成手段と、をさらに含み、前記送信手段は、前記第２送信データを送信し、前記受信手段は、前記第１の通信装置が送信した前記第２送信データを受信し、前記第２の通信装置は、前記第１通信制御用データ誤り検出手段の誤り検出結果に応じて、前記受信手段により受信された前記第１送信データに含まれる前記第１通信制御用データと前記所定の関係とに基づき、前記第２通信制御用データを取得する第２通信制御用データ取得手段と、前記第２通信制御用データ取得手段により取得される前記第２通信制御用データと、前記受信手段により受信された第２送信データに含まれる前記第２通信制御用データと、を相互に比較することにより、前記第２通信制御用データの誤りを検出する第２通信制御用データ誤り検出手段と、を含む、ことを特徴とする。
【０００９】
これによれば、リピート処理による通信制御用データの誤り検出を実施しつつ、データ送信単位に含めることのできるデータ量を増加させることができる。
【００１０】
また、上記通信システムにおいて、前記第２通信制御用データ取得手段は、前記第１通信制御用データ誤り検出手段の誤り検出結果により誤りがないことが示される場合に、前記受信手段により受信された前記第１送信データに含まれる前記第１通信制御用データと前記所定の関係とに基づき、前記第２通信制御用データを取得する、こととしてもよい。
【００１１】
これによれば、誤りが検出されなかった第１通信制御用データから第２制御用データを取得するようにすることができる。
【００１２】
また、本発明の別の一側面にかかる通信システムは、第１の通信装置と、第２の通信装置と、が通信接続される通信システムであって、前記第１の通信装置は、第１データと、該第１データと所定の関係を有する第２データと、を取得する取得手段と、前記第１データを複数回送信する送信手段と、を含み、前記第２の通信装置は、前記第１の通信装置が複数回にわたり送信した前記第１データをそれぞれ受信する受信手段と、前記受信手段により受信された複数の前記第１データを相互に比較することにより、第１データの誤りを検出する誤り検出手段と、を含み、前記送信手段は、前記第２データを送信し、前記受信手段は、前記第１の通信装置が送信した前記第２データを受信し、前記第２の通信装置は、前記誤り検出手段の検出結果に応じて、前記受信手段により受信された第１データ及び前記所定の関係に基づいて前記第２データを取得する第２データ取得手段、をさらに含み、前記誤り検出手段は、前記受信手段により受信された前記第２データと、前記第２データ取得手段により取得された前記第２データと、を相互に比較することにより、第２データの誤りを検出する、ことを特徴とする。
【００１３】
これによれば、通信制御用データのようなデータ送信単位ごとに所定の関係を有するデータを送信する際に、リピート処理を行わずとも、リピート処理による誤り検出を行うことが可能になる。
【００１４】
また、本発明にかかる通信装置は、相手装置から、第１通信制御用データを含む第１送信データを受信する受信手段と、前記受信手段により受信された前記第１送信データから、前記第１通信制御用データを取得する第１通信制御用データ取得手段と、前記取得において、前記第１送信データに前記第１通信制御用データが重複して含まれている場合には、当該重複して含まれる前記第１通信制御用データを相互に比較することにより、当該第１通信制御用データの誤りを検出するようにする第１通信制御用データ誤り検出手段と、前記第１通信制御用データ誤り検出手段の誤り検出結果に応じて、前記受信手段により受信された前記第１送信データに含まれる前記第１通信制御用データに基づき、第２通信制御用データを取得するようにする第２通信制御用データ取得手段と、前記第２通信制御用データ取得手段により取得される前記第２通信制御用データと、前記相手装置から受信される第２送信データに含まれる第２通信制御用データと、を相互に比較することにより、当該第２通信制御用データの誤りを検出するようにする第２通信制御用データ誤り検出手段と、を含むことを特徴とする。
【００１５】
また、本発明にかかるデータ処理方法は、相手装置から、通信制御用データを含む送信データを受信する通信装置におけるデータ処理方法において、相手装置から、第１通信制御用データを含む第１送信データを受信する受信ステップと、前記受信された前記第１送信データから、前記第１通信制御用データを取得する第１通信制御用データ取得ステップと、前記取得において、前記第１送信データに前記第１通信制御用データが重複して含まれている場合には、当該重複して含まれる前記第１通信制御用データを相互に比較することにより、当該第１通信制御用データの誤りを検出するようにする第１通信制御用データ誤り検出ステップと、前記第１通信制御用データ誤り検出ステップにおける誤り検出結果に応じて、前記受信された前記第１送信データに含まれる前記第１通信制御用データに基づき、第２通信制御用データを取得するようにする第２通信制御用データ取得ステップと、前記第２通信制御用データ取得ステップで取得される前記第２通信制御用データと、前記相手装置から受信される第２送信データに含まれる第２通信制御用データと、を相互に比較することにより、当該第２通信制御用データの誤りを検出するようにする第２通信制御用データ誤り検出ステップと、を含むことを特徴とする。
【００１６】
また、上記データ処理方法において、前記第１通信制御用データ取得ステップにおける誤り検出の結果、誤りが検出されない場合には、相手装置に対し、送信データに通信制御データを重複して含めないよう、要求する、こととしてもよい。
【００１７】
こうすれば、相手装置は、当該通信装置が、続いて受信される送信データに含まれるべき通信制御用データを取得することができるようになったか否かに応じて、送信データに通信制御データを重複して含めるか否かを決定することができるようになる。
【発明を実施するための最良の形態】
【００１８】
本発明の実施の形態について、図面を参照しながら説明する。
【００１９】
図１は、本実施の形態にかかる通信システム１のシステム構成及び機能ブロックを示す図である。同図に示すように、通信システム１は通信装置１０と、通信装置２０と、を含んで構成され、これらは互いに通信接続されている。本実施の形態では通信装置１０がデータを送信し、通信装置２０がそのデータを受信するものとして説明する。
【００２０】
通信装置１０及び通信装置２０は、いずれもＣＰＵ及びメモリを備えるコンピュータである。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００２１】
図１に示すように、通信装置１０は機能的に、リピート制御部１１、通信内容データ取得部１２、通信制御用データ付加部１３、リピート部１４、符号化部１５、変調・送信部１６を含んで構成され、通信装置２０は機能的に、受信・復調部２１、復号化部２２、通信内容データ取得部２３、本体部分通信制御用データ取得部２４、重複部分通信制御用データ取得部２５、誤り検出部２６、通信制御用データ取得部２７、通信制御用データ記憶部２８、通信制御用データ取得部２９を含んで構成される。
【００２２】
リピート制御部１１は、通信開始時に最初に送信するデータ送信単位についてリピート処理を行うことを決定し、以降に送信するデータ送信単位についてはリピート処理を行わないと決定する。リピート制御部１１は、この決定に従って通信内容データ取得部１２及びリピート部１４を制御する。
【００２３】
通信内容データ取得部１２は、データ送信単位のデータ量ごとに通信内容データを取得し、通信制御用データ付加部１３に出力する。このデータ送信単位のデータ量は、リピート処理を行う場合とリピート処理を行わない場合とで異なる。
【００２４】
ここでリピート処理によるデータ量の相違について説明する。リピート処理を行う場合には、通信データ（通信内容データ取得部１２により取得される通信内容データに、後述する通信制御用データ付加部１３により取得される通信制御用データを付加したもの）の全部又は一部を重複して含める。通信制御用データのデータ量は原則として変えられないので、リピート処理を行うか否かにより通信内容データ取得部１２により取得される通信内容データのデータ量を調節することにより、通信データのデータ量を一定に保つようにしている。
【００２５】
もっとも、例えばパケット通信に本実施の形態を適用する場合には、ヘッダ圧縮技術により通信制御用データのデータ量も調節可能となる。このような場合には、通信制御用データのデータ量に応じて通信内容データのデータ量を調節し、結果として通信データのデータ量を一定に保つようにすることが好適である。
【００２６】
なお、本実施の形態で行うリピート処理では、通信データのうち、通信制御用データ部分を重複して含めることとする。
【００２７】
通信制御用データ付加部１３は、通信内容データ取得部１２から出力された通信内容データに、通信制御用データを付加してなる通信データを取得し、リピート部１４に出力する。ここでは、この通信制御用データは順次送信するデータ送信単位ごとに異なっているが、各データ送信単位に付加される通信制御用データは、互いに所定の関係を有している。具体的には、順次送信されるデータ送信単位に共通のデータ（宛先アドレスなど）と、データ送信単位の送信順に関連するデータ（シーケンス番号など）とを含んでいる。
【００２８】
リピート部１４は、リピート処理を行うデータ送信単位については、通信データの全部により構成される通信データ本体部分と、通信データのうち、通信制御用データを構成する部分を含んで構成される通信データ重複部分と、を含む送信データを生成する。一方、リピート処理を行わないデータ送信単位については、通信データの全部を含む送信データを生成する。
【００２９】
符号化部１５は、リピート部１４により生成された送信データを符号化する。また、変調・送信部１６は、符号化部１５により符号化された送信データを変調し、通信装置２０に対して送信する。
【００３０】
受信・復調部２１は、通信装置１０が送信した送信データを受信し、復調する。復号化部２２は、受信・復調部２１により復調された送信データを復号化する。
【００３１】
通信内容データ取得部２３は、復号化部２２により復号化された送信データから、通信データ本体部分を取り出し、そこからさらに通信内容データを取得する。
【００３２】
本体部分通信制御用データ取得部２４は、復号化部２２により復号化された送信データから、通信データ本体部分を取り出し、そこからさらに通信制御用データを取得する。
【００３３】
重複部分通信制御用データ取得部２５は、復号化部２２により復号化された送信データに通信データ重複部分が含まれるか否かを判断し、含まれれば、その通信データ重複部分から通信制御用データを取得する。
【００３４】
誤り検出部２６は、重複部分通信制御用データ取得部２５により通信制御用データが取得されている場合、本体部分通信制御用データ取得部２４により取得される通信制御用データと、重複部分通信制御用データ取得部２５により取得される通信制御用データと、を相互に比較することにより、通信制御用データの誤りを検出する。すなわち、両通信制御用データに異なる部分がある場合には、その部分を誤り部分として検出する。
【００３５】
通信制御用データ取得部２７は、誤り検出部２６の誤り検出結果に応じて通信制御用データを取得する。具体的には、誤りが検出されなかった場合、本体部分通信制御用データ取得部２４により取得される通信制御用データを取得する。通信制御用データ取得部２７は、こうして取得した通信制御用データを通信制御用データ記憶部２８に記憶させる。
【００３６】
通信制御用データ取得部２９は、通信制御用データ記憶部２８に記憶される通信制御用データと、上述した通信制御用データ間の所定の関係と、に基づいて、続いて受信される送信データに含まれるべき通信制御用データを取得する。例えば、ある送信データに含まれていた通信制御用データと、上述した通信制御用データ間の所定の関係と、に基づいて、該送信データに続いて受信される送信データに含まれるべき通信制御用データを取得する際、通信制御用データ取得部２９は、上記共通のデータについてはそのままとし、上記送信順に関連するデータについては所定数インクリメントすることにより、通信制御用データを取得する。
【００３７】
誤り検出部２６は、重複部分通信制御用データ取得部２５により通信制御用データが取得されていない場合、本体部分通信制御用データ取得部２４により取得される通信制御用データと、通信制御用データ取得部２９により取得される通信制御用データと、を相互に比較することにより、通信制御用データの誤りを検出する。すなわち、両通信制御用データに異なる部分がある場合には、その部分を誤り部分として検出する。こうして誤り検出部２６は、リピート処理を行わずに、リピート処理による誤り検出を行う。
【００３８】
図２乃至図８は、以上説明した通信システム１にかかる構成を、移動体通信システムに適用した場合の具体例を説明するための図である。ここで説明する具体例では、通信装置１０は移動体通信システムにおける基地局装置であり、通信装置２０は同移動局装置であり、送信データは基地局装置がブロードキャストするパケットデータである。以下、図２乃至図８を参照しながら、この具体例について詳細に説明する。
【００３９】
図２及び図３は、通信装置１０の処理のフローを示す図である。同図に示すように、通信装置１０は、通信を開始するとともに変数Ｎの記憶領域を確保し、１を代入する（Ｓ１）。そして、該通信で使用するフレームのフォーマットを決定する（Ｓ２）。ここでは、このフォーマットとして次の３種類、すなわち、１ｃｈ通信で常時リピート処理を行うもの（ＦＦ（Format Flag）＝００又は１１）、１ｃｈ通信で初期化時のみリピート処理を行うもの（ＦＦ＝０１）、２ｃｈ通信で初期化時のみリピート処理を行うもの（ＦＦ＝１０）のいずれかを使用するものとして説明する。
【００４０】
次に、通信装置１０はＮ＝１であるか否かを判定し（Ｓ３）、その処理を、Ｎ＝１であればＳ４に、Ｎ＝１でなければＳ１４に、それぞれ移す。Ｓ３の処理は、通信開始時であるか否かを判定するために行われる。
【００４１】
Ｓ４において、通信装置１０はＦＦが１０であるか否かを判定する。ＦＦが１０でなければ、最大140bitのデータ（通信内容データ）を取得し（Ｓ５）、これに通信制御データ（33bit）を付加し、最大173bitの通信データを取得する（Ｓ６）。そして通信制御データ分についてリピート処理し、本体部分173bit、重複部分33bitの送信データを取得する（Ｓ７）。なお、通信内容データが140bitに満たない場合には、通信内容データについてもリピート処理することとしてもよい。すなわち、無線区間で１度に送信できるデータ量は予め決まっており、ここでは送信データのビット数にして206bitであるので、これを上回らない範囲でリピート処理が行われる。なお、図５はこのとき取得される送信データのフォーマットを模式的に示す図である。
【００４２】
Ｓ４においてＦＦが１０であれば、１ｃｈ目及び２ｃｈ目から最大118bitのデータ（通信内容データ）を取得し（Ｓ８）、これに通信制御データ（44bit）を付加し、最大162bitの通信データを取得する（Ｓ９）。そして通信制御データ分についてリピート処理し、本体部分162bit、重複部分44bitの送信データを取得する（Ｓ１０）。なお、通信内容データが118bitに満たない場合には、通信内容データについてもリピート処理することとしてもよい。この場合にも、送信データのビット数が206bitを上回らない範囲でリピート処理が行われる。なお、図６はこのとき取得される送信データのフォーマットを模式的に示す図である。同図に示すように、44bitの通信制御データのうち22bitは１ｃｈ目と２ｃｈ目に共通のものであり、残りの22bitはｃｈごとの通信制御データ（ｃｈごとに11bit）である。
【００４３】
通信装置１０は、Ｓ７若しくはＳ１０で取得された送信データにＣＲＣ（巡回冗長符号）16bitと、畳込処理用のテイルアペンドビット8bitを付加し、畳込み処理を行う（Ｓ１１）。この畳込み処理は、ビット数が２倍になる符号化処理である。このため、畳込みにより得られるデータのビット数は（206+16+8）×2=460bitとなる。すなわち、この移動体通信システムにおいて無線区間で１度に送信できるデータ量は460bitであり、符号化後のデータ量が460bitとなるよう、送信データのデータ量を206bitとしているのである。
【００４４】
通信装置１０は、符号化後のデータを変調して送信し（Ｓ１２）、Ｎを１インクリメントする（Ｓ１３）。そして、その処理をＳ３に戻す。
【００４５】
上述のように、Ｓ３においてＮ＝１でなければ通信装置１０はＳ１４の処理に移る。Ｓ１４において、通信装置１０はＦＦが００又は１１であるか否かを判定する。ＦＦが００又は１１であれば、通信装置１０はその処理をＳ５に移す。ＦＦが００又は１１でなければ、通信装置１０は、初期化すべきか否かを判断する（Ｓ１５）。ここでの初期化とはリピート処理を再度行うことを意味しており、後述するように通信装置２０からの要求により行われる。初期化すべきと判断した場合、通信装置１０はその処理をＳ５に移す。
【００４６】
初期化すべきでないと判断した場合、通信装置１０はＦＦが０１であるか否かを判断する。ＦＦが０１であれば、通信装置１０は最大173bitのデータ（通信内容データ）を取得し、これに通信制御データ（33bit）を付加してなる最大206bitの通信データを、送信データとする（Ｓ１７）。図７はこのとき取得される送信データのフォーマットを模式的に示す図である。ＦＦが０１でなければ、通信装置１０は１ｃｈ目及び２ｃｈ目から最大162bitのデータ（通信内容データ）を取得し、これに通信制御データ（44bit）を付加してなる最大206bitの通信データを、送信データとする（Ｓ１８）。図８はこのとき取得される送信データのフォーマットを模式的に示す図である。こうして送信データを取得した通信装置１０は、その処理をＳ１１に移す。
【００４７】
次に、図４は、通信装置２０の処理のフローを示す図である。同図に示すように、通信装置２０は送信データを受信して復調し（Ｓ２０）、復号化する（Ｓ２１）。なお、この復号化したデータについて、ＣＲＣによる誤り訂正を行うことが好適である。
【００４８】
通信装置２０は、復号化された送信データから本体部分を取得し、そのフォーマットに応じて通信制御データを取得する（Ｓ２２）。すなわち、本体部分のうち通信制御データである部分を取得する。
【００４９】
また、通信装置２０は、復号化された送信データから重複部分を取得し、そのフォーマットに応じて通信制御データを取得する（Ｓ２３）。ここで、重複部分が含まれていない場合には重複部分を取得することができないので、通信装置２０は重複部分が取得されたか否かを判断し（Ｓ２４）、取得されている場合にはＳ２６に、取得されていない場合にはＳ２５に、それぞれその処理を移す。
【００５０】
Ｓ２６において、通信装置２０は、Ｓ２２において取得した通信制御データと、Ｓ２３において取得した通信制御データと、を比較することにより、誤り検出を行う。
【００５１】
Ｓ２５においては、通信装置２０は後述するＳ２９の処理により記憶されていた通信制御データに基づき、重複分に含まれるべき通信制御データを取得する。そして、通信装置２０は、Ｓ２２において取得した通信制御データと、Ｓ２５において取得した通信制御データと、を比較することにより、誤り検出を行う（Ｓ２７）。
【００５２】
通信装置２０は、Ｓ２６又はＳ２７で行った誤り検出の結果、誤りが検出されたか否かを判断し（Ｓ２８）、誤りが検出されなかった場合、通信制御データを記憶し（Ｓ２９）、さらにフォーマットに応じて通信内容データを取得する（Ｓ３０）。一方、誤りが検出された場合、通信装置１０に対して初期化処理を要求する（Ｓ３１）。通信装置１０は、こうして初期化処理を要求された場合に、Ｓ１５において肯定判定を行う。
【００５３】
以上説明したように、本発明にかかる通信システムによれば、リピート処理による通信制御用データの誤り検出を実施しつつ、データ送信単位に含めることのできるデータ量を増加させることができる。また、通信制御用データのようなデータ送信単位ごとに所定の関係を有するデータを送信する際に、リピート処理を行わずとも、リピート処理による誤り検出を行うことが可能になる。
【００５４】
なお、上記実施の形態では各データ送信単位に含まれる通信制御用データには所定の関係があるものとして説明したが、実際の通信制御用データには所定の関係がある部分とない部分とが含まれている。上記実施の形態においては、このように所定の関係がない部分は通信内容データに含まれるものとしている。
【００５５】
また、誤り検出部２６は、本体部分通信制御用データ取得部２４により取得される通信制御用データと、重複部分通信制御用データ取得部２５により取得される通信制御用データと、を相互に比較することによる誤り検出の結果、誤りが検出されなかった場合、通信装置１０に対して、リピート処理を行わないよう要求することとし、リピート制御部１１は、リピート処理を行わないよう要求された場合に、リピート処理を行わないと決定することとしてもよい。こうすれば、通信装置１０は、通信制御用データ取得部２９が、続いて受信される送信データに含まれるべき通信制御用データを取得することができるようになったか否かに応じて、リピート処理の実施を決定することができるようになる。
【図面の簡単な説明】
【００５６】
【図１】本発明の実施の形態にかかる通信システムのシステム構成及び機能ブロックを示す図である。
【図２】本発明の実施の形態を移動体通信システムに適用した場合の送信側通信装置の処理フローを示す図である。
【図３】本発明の実施の形態を移動体通信システムに適用した場合の送信側通信装置の処理フローを示す図である。
【図４】本発明の実施の形態を移動体通信システムに適用した場合の受信側通信装置の処理フローを示す図である。
【図５】本発明の実施の形態を移動体通信システムに適用した場合の送信データフォーマットを示す図である。
【図６】本発明の実施の形態を移動体通信システムに適用した場合の送信データフォーマットを示す図である。
【図７】本発明の実施の形態を移動体通信システムに適用した場合の送信データフォーマットを示す図である。
【図８】本発明の実施の形態を移動体通信システムに適用した場合の送信データフォーマットを示す図である。
【符号の説明】
【００５７】
１  通信システム、１０，２０  通信装置、１１  リピート制御部、１２  通信内容データ取得部、１３  通信制御用データ付加部、１４  リピート部、１５  符号化部、１６  変調・送信部、２１  受信・復調部、２２  復号化部、２３  通信内容データ取得部、２４  本体部分通信制御用データ取得部、２５  重複部分通信制御用データ取得部、２６  誤り検出部、２７，２９  通信制御用データ取得部、２８  通信制御用データ記憶部。
【図１】
0004669807.tif 000002
【図２】
0004669807.tif 000003
【図３】
0004669807.tif 000004
【図４】
0004669807.tif 000005
【図５】
0004669807.tif 000006
【図６】
0004669807.tif 000007
【図７】
0004669807.tif 000008
【図８】
0004669807.tif 000009